(57)【要約】【課題】低コストで且つ短い工期での現場施工が容易であり、強度的にも十分であって多雪地でも使用可能な、新規な構造の農業用パイプハウスを提供する。【解決手段】一本の長尺角パイプをアーチ状に湾曲させたパイプフレーム材１１を左右一対用いてこれらを峰部にて水平に対して１０〜３０度、好ましくは１５〜２０度の角度となるように連結してアーチフレーム１２としてパイプハウス１０を構成する。角パイプは長方形の断面形状を有していてその短辺側の側面がアーチフレームの上下面となり長辺側の側面がアーチフレームの前後面となるように湾曲されてパイプフレーム材とされているので、強度が大である。峰部に向かうにつれて徐々に曲率半径が大きくなって直線に近付いていく複数の異なる曲率部分によってアーチ状の湾曲形状を形成することにより、屋根に積もった雪をスムーズに滑り落とすことができる。【選択図】図１
0003129683.tif 000002
【実用新案登録請求の範囲】
【請求項１】
一本の長尺角パイプをアーチ状に湾曲させたパイプフレーム材を左右一対用いてこれらを峰部にて水平に対して１０〜３０度の角度となるように連結してアーチフレームとし、このアーチフレームを所定間隔で奥行方向に配置し、奥行方向に延長する水平パイプで連結して骨組を形成し、この骨組にシート状外被材を被覆固定してなるパイプハウスであって、前記角パイプは長方形の断面形状を有していてその短辺側の側面がアーチフレームの上下面となり長辺側の側面がアーチフレームの前後面となるように湾曲されて前記パイプフレーム材とされており、該パイプフレーム材の下方部は地面に対して略直立した柱部を構成していることを特徴とするパイプハウス。
【請求項２】
アーチフレームの柱部の上端から峰部にかけての小屋高部において、峰部に向かうにつれて徐々に曲率半径が大きくなって直線に近付いていく複数の異なる曲率部分によってアーチ状の湾曲形状が形成されることを特徴とする、請求項１記載のパイプハウス。
【請求項３】
アーチフレームの最も峰部に近い部分が直線状であることを特徴とする、請求項１または２記載のパイプハウス。
【請求項４】
峰部においてパイプフレーム材が水平に対して１５〜２０度の傾斜角を有することを特徴とする、請求項１ないし３のいずれか記載のパイプハウス。
【考案の詳細な説明】
【技術分野】
【０００１】
本考案は、主として農業（園芸を含む）に用いられるほか、畜産用や倉庫などとしても用いられ得るパイプ構造のハウス、すなわちパイプハウスに関する。
【背景技術】
【０００２】
パイプハウスは、その内部が外気と遮断されることによって、また太陽熱を利用することによって、作物の育成に必要な温度を確保しやすいため、作物の育苗や栽培に広く用いられている。
【０００３】
パイプハウスは、その屋根形状によってアーチ型（ドーム型）と切妻型に大別される。アーチ型のパイプハウスは図４（ａ）に示すような断面構造を有するもので、屋根部分１ａが略同一の曲率半径を有するドーム状に形成されている。切妻型のパイプハウスは図４（ｂ）に示すような断面構造を有するもので、屋根部分１ｂが一定の勾配を持っている。
【０００４】
このようにアーチ型または切妻型の屋根部分１ａ，１ｂと、地面ＧＬから略直立する柱部分２ａ，２ｂとからなるフレーム３ａ，３ｂを所定間隔で奥行方向に配置して骨組とし、この骨組に合成樹脂シートを被覆して、パイプハウスが完成する。各フレーム３ａ，３ｂの柱部分２ａ，２ｂは、その下端を地面に差し込むことにより固定され、あるいは基礎ブロックに固定される。屋根部分１ａ，１ｂおよび柱部分２ａ，２ｂには丸パイプが用いられ、数種類の長さのものを予め用意しておいて、これらをジョイント金具で接続して所要の長さを有するものとし、屋根部分１ａ，１ｂと柱部分２ａ，２ｂとを肩高部４ａ，４ｂにてジョイント金具で接続すると共に、左右の屋根部分１ａ，１ｂ同士を峰部にてジョイント金具で接続してフレーム３ａ，３ｂとしている。
【考案の開示】
【考案が解決しようとする課題】
【０００５】
このような従来のパイプハウスは、多数のパイプと多数のジョイント金具を必要とし、現場施工が困難であって工期が長くなる。また、強度も不足がちとなるので、多雪地では雪の重みで倒壊することを防ぐための補強手段を付加する必要があった。
【０００６】
アーチ型のパイプハウス（図４（ａ））は、天井部に膨らみがあるので、ゆとりのある内部空間が得られ、柱部分２ａの近くでも十分な作業スペースが確保されるという利点がある。
【０００７】
さらに、屋根部分１ａが風を受けても湾曲に沿って風の逃げ道を与えるので、強風にも耐える強度を発揮し、また、内部においては空気の対流が促進されるので農業用に用いる場合には作物の育成に好影響を与えるという利点もある。
【０００８】
しかしながら、反面、屋根部分１ａの勾配が小さいため積雪が滑り落ちにくく、多雪地での使用に際して大きなネックとなっている。
【０００９】
一方、切妻型のパイプハウス（図４（ｂ））は、屋根部分１ｂが直線的であるため風をまともに受けてしまい、強風時の強度が懸念される。
【００１０】
また、空気の流れを示す矢印Ｘから分かるように、内部において空気対流が生じにくい形状であり、作物の育成にとって良好な環境を形成することができない。
【００１１】
さらに、直線的な屋根部分１ｂの勾配βを大きく取れば積雪を落としやすくなるが、屋根部分１ｂが全面に亘って一定の勾配を持つこともあって、積雪を滑り落とす効果を十分に得るためには、屋根勾配を相当に大きく（たとえば３０度あるいはそれ以上）取らなければならない。しかし、このように大きな屋根勾配とすると、内部の有効スペース、特に柱部分２ｂ近くの有効スペースが犠牲になってしまい、また天井が相当高くなってしまう。結果として、切妻型のパイプハウスも、アーチ型のパイプハウスと同様、多雪地での使用に十分に対応することが困難である。
【００１２】
したがって、本考案の課題は、低コストで且つ短い工期での現場施工が容易であり、強度的にも十分であって多雪地でも使用可能な、新規な構造のパイプハウスを提供することにある。
【課題を解決するための手段】
【００１３】
上記課題を解決するための手段として、請求項１に係る本考案は、一本の長尺角パイプをアーチ状に湾曲させたパイプフレーム材を左右一対用いてこれらを峰部にて水平に対して１０〜３０度の角度となるように連結してアーチフレームとし、このアーチフレームを所定間隔で奥行方向に配置し、奥行方向に延長する水平パイプで連結して骨組を形成し、この骨組にシート状外被材を被覆固定してなるパイプハウスであって、前記角パイプは長方形の断面形状を有していてその短辺側の側面がアーチフレームの上下面となり長辺側の側面がアーチフレームの前後面となるように湾曲されて前記パイプフレーム材とされており、該パイプフレーム材の下方部は地面に対して略直立した柱部を構成していることを特徴とする。
【００１４】
請求項２に係る本考案は、請求項１記載のパイプハウスにおいて、アーチフレームの柱部の上端から峰部にかけての小屋高部において、峰部に向かうにつれて徐々に曲率半径が大きくなって直線に近付いていく複数の異なる曲率部分によってアーチ状の湾曲形状が形成されることを特徴とする。
【００１５】
請求項３に係る本考案は、請求項１または２記載のパイプハウスにおいて、アーチフレームの最も峰部に近い部分が直線状であることを特徴とする。
【００１６】
請求項４に係る本考案は、請求項１ないし３のいずれか記載のパイプハウスにおいて、峰部においてパイプフレーム材が水平に対して１５〜２０度の傾斜角を有することを特徴とする。
【考案の効果】
【００１７】
請求項１に係る本考案によれば、一本の長尺角パイプをアーチ状に湾曲させた湾曲フレーム材を左右一対用いてこれらを峰部で連結してアーチフレームを形成しているので、パイプやジョイント金具の使用点数が少なくて済み、低コストでパイプハウスを提供することができ、且つ、現場作業でも短期間で組み立てることができる。
【００１８】
さらに、角パイプは長方形の断面形状を有していてその短辺側の側面がアーチフレームの上下面となり長辺側の側面がアーチフレームの前後面となる向きで湾曲されているので、十分な強度を持った堅牢な骨組が得られる。
【００１９】
このパイプハウスは、従来のアーチ型構造のパイプハウスと同様に、ゆとりのある内部空間が得られ、直立した柱部の近くでも十分な作業スペースが確保される。したがって、骨組近くにおいても農機具を稼働させることができ、機械化への対応が可能となる。また、屋根部が風を受けても湾曲に沿って風の逃げ道を与えるので、強風にも耐える強度を発揮し、内部においては空気の対流を促進して作物の育成に好影響を与えるという利点も発揮される。
【００２０】
加えて、本考案のパイプハウスにおいては、アーチフレームを使用しながらも峰部に１０〜３０度の勾配を持たせているので、積雪を滑り落としやすい効果が得られる。したがって、多雪地においても好適に使用することができるパイプハウスが提供される。
【００２１】
請求項２に係る本考案によれば、このパイプハウスにおいて、アーチフレームの柱部の上端から峰部にかけての小屋高部を複数の部分に区画し、且つ、これらの部分が峰部に向かうにつれて徐々に大きな曲率半径を持って徐々に直線に近付くようにしているので、屋根に積もった雪を滑り落とす効果がより顕著に発揮される。柱に近い部分では最も大きな曲率半径を持つ湾曲形状を有するので、この部分の積雪が最も落ちやすく、これに誘発されてその上方の積雪も落ちやすくなる。峰部に近い箇所では直線に近くなるが、峰部で１０〜３０度の勾配を有するので、この箇所においても積雪を滑り落とす効果は十分に発揮され、且つ、湾曲形状を持って徐々に（側方に向けて）勾配が大きくなっていくので、より一層の落雪効果を発揮する。
【００２２】
請求項３に係る本考案によれば、この農業用パイプハウスにおいて、アーチフレームの最も峰部に近い部分が直線状とされているので、峰部におけるジョイントが容易となり、１０〜３０度の勾配を持たせることも容易となる。
【００２３】
請求項４に係る本考案によれば、アーチフレームが頂部近くで水平に対して１５〜２０度の傾斜角を有するので、天井近くの有効高さを十分に維持しつつ、積雪を滑り落としやすくする効果を発揮させることができる。
【考案を実施するための最良の形態】
【００２４】
図１は本考案の一実施形態によるパイプハウスを示す。このパイプハウス１０は、左右一対のパイプフレーム材１１，１１を頂部Ａで連結してアーチフレーム１２を形成し、このアーチフレーム１２を所定間隔で奥行方向（図１紙面鉛直方向）に配置し、さらにアーチフレーム１２，１２間に所定間隔で補助アーチパイプ１３を配置し、これらを水平パイプ（図示せず）で連結することにより骨組（符号なし）を形成し、この骨組に合成樹脂シートやトタンなどのシート状外被材（図示せず）を被覆・固定して構成されている。パイプハウス１０の大きさは、ハウス内で育成する作物や設置スペースなどによって任意に決定される。
【００２５】
左右一対のパイプフレーム材１１，１１は実質的に同一のものを用いて、これらを向き合わせて配置している。パイプフレーム材１１は、鋼管の表面に亜鉛メッキなどによる防錆処理を施したものが一般に用いられる。
【００２６】
農業用パイプハウスの骨組を形成するためのパイプとしては従来より丸パイプが汎用されているが、この実施形態では断面長方形状の角パイプを用いてフレーム材１１を得ている。角パイプの大きさや寸法は任意であるが、たとえば、短辺＝４５ｍｍ、長辺＝７５ｍｍ、肉厚２．３ｍｍのものや、短辺＝５０ｍｍ、長辺＝１００ｍｍ、肉厚２．３ｍｍまたは３．２ｍｍのものなどを用いることができる。
【００２７】
角パイプフレーム材１１は、元々は直管である長尺の角パイプ（たとえば長さ３ｍ）を、一端から所定距離（たとえば長さ１．２ｍ）を直線のまま残して下方直立部ないし柱部１１ａとし、その上端をアーチ状に湾曲させて上方湾曲部１１ｂとしている。
【００２８】
図２に示すように、パイプ上方湾曲部１１ｂの湾曲の向きは縦方向であり、その短辺側の側面１１ｃがアーチフレーム１２の上下面となり、長辺側の側面１１ｄがアーチフレーム１２の前後面となるように湾曲させている。このような湾曲方向とすることにより必要強度を確保することができる。
【００２９】
また、パイプ上方湾曲部１１ｂは一定の曲率半径を有するものであっても良いが、好ましくは、図３に模式的に示すように、峰部に向かうにつれて徐々に曲率半径が大きくなる複数の異なる曲率部分が連続した湾曲形状とし、且つ、最も峰部に近い部分は直線状とする。
【００３０】
図３に示す例では、パイプ下方直立部ないし柱部１１ａの上端１１ｅから地点１１ｆまでの区間が１０００〜１５００Ｒの曲率半径を有する第一の湾曲部１１１となり、地点１１ｆから地点１１ｇまでの区間が３０００Ｒの曲率半径を有する第二の湾曲部１１２となり、地点１１ｇから地点１１ｈまでの区間が５０００Ｒの曲率半径を有する第三の湾曲部１１３となり、地点１１ｈから峰部１８までの区間は直線部１１４となっている。
【００３１】
このようにすることで、柱部１１ａに隣接した第一の湾曲部分１１１では大きな湾曲で急勾配となり、落雪効果も最大となる。第二および第三の湾曲部分１１２，１１３となるにつれて徐々に湾曲が小さくなって直線に近くなるが、それでも湾曲していることから落雪効果を発揮することができ、峰部１８に最も近い区間は直線部１１４となるが１０〜３０度、好ましくは１５〜２０度の勾配αが確保されている。また、アーチフレーム１２がこのように複数区間に区画されているとしても、それらの区画地点１１ｅ，１１ｆ，１１ｇ，１１ｈで隣接する部分がスムーズに連続しているので、最大湾曲で最大勾配の第一の湾曲部分１１１での落雪効果がその上方部分での落雪を誘発させる。これらの相乗効果により、屋根上の積雪をスムーズに滑り落とすことができる。
【００３２】
さらに、柱部１１ａに隣接した第一の湾曲部分１１１では大きな湾曲で急勾配となり、柱部近くにおける有効高さを十分に確保するので、ゆとりのある内部空間が得られ、直立した柱部の近くでも十分な作業スペースが確保される。したがって、骨組近くにおいても農機具を稼働させることができ、機械化への対応が可能となる。
【００３３】
また、屋根部が風を受けても湾曲に沿って風の逃げ道を与えるので、強風にも耐える強度を発揮し、内部においては矢印Ｙで示されるように空気の対流が促進されて作物の育成に好影響を与えるという利点も発揮される。
【００３４】
図１に戻って、この実施形態では、角パイプフレーム材１１の下方直立部１１ａは地面ＧＬに埋設した基礎ブロック１４に連結固定している。より詳しくは、基礎ブロック１４の打設時にアンカーボルト１５，１５を埋め込んで一体化し、角パイプフレーム材１１の下方直立部１１ａの下端に溶接固定したベース１６のボルト穴（符号なし）にこれらアンカーボルト１５，１５を挿通してナット１７，１７で固定することにより、角パイプフレーム材１１を地面ＧＬに対して固定している。角パイプフレーム材１１の下方直立部１１ａは地面ＧＬに対して略直立していて、パイプハウス１０の内部に有効スペースを最大限確保している。
【００３５】
峰部１８における左右一対の角パイプフレーム材１１同士の連結は、図１にＡ部拡大図として示されるように、上方湾曲部１１ｂ，１１ｂの先端（直線部１１４）同士を峰部ジョイント金具１９で接合することにより行う。前述のように、Ａ部拡大図において先端直線部１１４，１１４は１０〜３０度、好ましくは１５〜２０度の勾配αを持つように、峰部ジョイント金具１９で連結される。
【００３６】
図１Ａ部拡大図において符号２０は峰パイプであり、峰部ジョイント金具１９に固定されて、このパイプハウス１０の奥行方向に略水平に延長する。この実施形態ではフレーム材１１と同様に角パイプが用いられているが、丸パイプを峰パイプ２０に使用しても良い。この峰パイプ２０上にボルト２１で固定したジョイント金具２２に補助アーチパイプ１３（レール状のものを用いることもある）の先端を挿入して連結固定している。シート状外被材は補助アーチパイプ１３を覆うように張設される。
【００３７】
以上に本考案の好適な実施形態について詳述したが、本考案はこれに限定されることなく、実用新案登録請求の範囲に記載の考案の範囲内において多種多様に変形して実施可能である。たとえば、図３では角パイプフレーム材１１の上方湾曲部１１ｂを２つの部分１１１，１１２に分けて側方に近い部分１１１の曲率半径より峰部に近い方の部分１１２の曲率半径の方を大きくしたが、上方湾曲部１１ｂをより多数の部分に分けて、それらの曲率半径を峰部に近付くにつれて大きく、したがって直線に近付けるようにしても良い。
【図面の簡単な説明】
【００３８】
【図１】本考案の一実施形態によるパイプハウスの構造図である。
【図２】このパイプハウスのアーチフレームに用いる角パイプフレーム材の斜視図である。
【図３】このパイプハウスのアーチフレーム形状を模式的に示す説明図である。
【図４】従来のパイプハウスの模式構造図であり、（ａ）はアーチ型、（ｂ）は切妻型を示す。
【符号の説明】
【００３９】
１０  パイプハウス
１１，１１  角パイプフレーム材
１１ａ  パイプ下方直立部
１１ｂ  パイプ上方湾曲部
１１ｃ  角パイプ短辺側の側面
１１ｄ  角パイプ長辺側の側面
１１ｅ  パイプ下方直立部の上端
１１ｆ，１１ｇ，１１ｈ  パイプ上方湾曲部における区画地点
１１１，１１２，１１３  曲率半径の異なる部分
１１４  直線部
１２  アーチフレーム
１３  補助アーチパイプ
１４  基礎ブロック
１５  アンカーボルト
１６  ベース
１７  ナット
１８  峰部
１９  峰部ジョイント金具
２０  峰パイプ
２１  ボルト
２２  ジョイント金具
【図１】
0003129683.tif 000003
【図２】
0003129683.tif 000004
【図３】
0003129683.tif 000005
【図４】
0003129683.tif 000006